(57)【要約】      （修正有）【課題】軽量、小型で操作性に優れ、しかも、低価格であり、かつ、作業者一人で殺菌・殺虫作業が可能な背負い形オゾン消毒装置を提供する。【解決手段】背負い形オゾン消毒装置は、酸素源１０から供給される酸素を取り入れてオゾンを生成する放電形オゾン発生器３と、直流電力をインバータを含む変換装置を介して高周波電力に変換しオゾン発生器へ交流電力を供給する電源部４と、オゾン発生器からのオゾンと混合する液体を収容した携帯形液体タンク５と、オゾン及び液体タンクからの液体をノズル体に圧送駆動する複数の圧送駆動装置６Ａ，６Ｂと、圧送駆動装置から圧送されるオゾンを含む液体を外部に放出する取手部付きノズル体７と、１つの背負い架台と、背負い架台上で４つの要素の上下左右重量バランスを保持して一塊の集合体として配置されるバランス搭載構造と、を備える。【選択図】図１
0003183645.tif 000002
【実用新案登録請求の範囲】
【請求項１】
酸素源から供給される酸素を取り入れてオゾンを生成する放電形オゾン発生器と、
直流電源としてのリチウムイオンバッテリーとリチウムイオンバッテリーからの直流電力をインバータを含む変換装置を介して高周波電力に変換しオゾン発生器へ交流電力を供給する電源部と、
オゾン発生器からのオゾンと混合する液体を収容した携帯形液体タンクと、
オゾン及び液体タンクからの液体をノズル体に圧送駆動する複数の圧送駆動装置と、
圧送駆動装置から圧送されるオゾンを含む液体を外部に放出する取手部付きノズル体と、
少なくともオゾン発生器と、電源部と、液体タンクと、圧送駆動装置との４つの要素を搭載する１つの背負い架台と、
背負い架台上で４つの要素の上下左右重量バランスを保持して一塊の集合体として配置されるバランス搭載構造と、を含むことを特徴とする背負い形オゾン消毒装置。
【請求項２】
液体タンクは背負い架台の下部において左右に他の要素及び機器を配置させるように背負い架台の下部中央部に配置されていることを特徴とする請求項１記載の背負い形オゾン消毒装置。
【請求項３】
液体タンクは、背負い架台に設置されて液体圧送駆動装置に常時液体を接続可能とする一次タンクと、一次タンクに対して着脱自在に接続され、装着時に一次タンクの収容室と当該タンクの収容室をワンタッチで連通させる二次タンクと、を含むことを特徴とする請求項１又は２記載の背負い形オゾン消毒装置。
【請求項４】
各要素の機能及び装置全体の機能を実行する電気基盤類が設けられ、該電気基盤類が背負い架台上で最上位に設置されていることを特徴とする請求項１ないし３のいずれかに記載の背負い形オゾン消毒装置。
【考案の詳細な説明】
【技術分野】
【０００１】
本考案は、オゾンを生成しつつオゾンを含む流体を被消毒物に放出して消毒するオゾン消毒装置に係り、特に、人が背負った状態で自由に移動しながら消毒作業を行える背負い形オゾン消毒装置に関する。
【背景技術】
【０００２】
安全・安心な食糧生産を目指して、農薬による農産物汚染、環境汚染を生じない病害虫の殺菌・殺虫法が求められている。オゾンは強力な酸化作用、殺菌・殺虫効果を有しており、短時間で消滅し、また、オゾン処理された農産物に毒性が残らない。屋外で栽培されている農産物をオゾンで殺菌・殺虫するには、高濃度のオゾンを短時間内に散布して、作業能率を高めることが求められており、また、同時に作業者の健康被害を抑制するために、作業環境のオゾン濃度を基準値(０．１ｐｐｍ)以下に維持する必要がある。
【０００３】
オゾンは一般には電気放電で生成されるが、このオゾン気体を直接農産物に噴霧する方法では、オゾン成分の散逸による消毒効果の低下と、作業者への高濃度オゾン暴露のおそれがある。にも拘らずビニールハウスなどの閉鎖型作業場における農産物燻蒸消毒にはオゾン気体が用いられており、人体への悪影響が懸念されている。
【０００４】
一方、オゾンを水と混合して製造されるオゾン水を農産物に噴霧する方法を考える場合、水へのオゾンの溶解度に限界（３％オゾンガスで１２ｐｐｍ程度）があるために長時間の噴霧が求められる上に消毒効果は低く、また、設備が大掛かりになるために消毒経費が高くなり、農業への普及は限定的といえる。
【０００５】
現在農業に用いられているオゾン消毒装置として、主にオゾン水を農作物に噴霧、あるいは、オゾン水を直接土壌中に注入する方式のものがある。いずれも、大規模農業での利用を目的としており、オゾン濃度が低いために殺菌効果は低く、また、装置そのものが大掛かりになり、据え置き式であるために消毒農地に制限があり、その上に、設備費用が高価である。
【０００６】
農産物を効率良く消毒するためには、高濃度のオゾン派生ラジカルを含むオゾンミストを植物の葉に付着している害虫に至近距離で噴射し、オゾンミストの散逸を低減することが重要である。特に、農産物の播種、苗、生育過程、収穫の各段階でのオゾン消毒の散布条件は、植物の種類、対象とする病原菌や害虫の種類、散布時の環境（風、降雨、温度、日照、地勢など）により異なるので、各農産物の生育場所や種類に応じた、作業者によるきめ細かなオゾンを含む気体の散布が可能な装置が求められる。オゾンガスによる殺菌、消毒について特許文献１，２による提案がなされている。
【先行技術文献】
【特許文献】
【０００７】
【特許文献１】特開２００４−１７３９０４
【特許文献２】特開２００３−３２０２７８
【考案の概要】
【考案が解決しようとする課題】
【０００８】
特許文献１のオゾン殺菌脱臭装置は、二流体ノズルで生成した霧に、二流体ノズルの霧出口部にオゾンガスを供給することでオゾンを溶解させたうえで、霧に溶解しない残存オゾンを含む空気で霧（オゾン霧）を噴出させて、殺菌・脱臭対象面や空間に噴霧するものである。この特許文献１の装置では、圧縮空気で水タンクの水を吸引して、霧を噴出するために、大流量の空気（３４ｌｉｔｅｒ/ｍｉｎ）を必要とし（特許文献１、明細書段落００２８、表１）、そのためにオゾン濃度が低下し、また、遠方に運ばれ拡散するために、殺菌効果は低減し、屋外での農業での殺虫や殺菌には適さない。屋外での農作物に付着した害虫、バクテリアやウイルスを消毒散布するには高濃度のオゾンガスやオゾンミストを短時間の間に局所的に集中噴射し、同時に作業者が残留オゾン気体に暴露されることを防止することが必要である。結局、特許文献１の装置は、二流体ノズルの霧出口部にオゾンガスを供給して高濃度のオゾン霧を殺菌対象物に噴出するようにした点が開示されるのみで、各農産物の生育場所や種類に応じた作業者のきめ細かなオゾンを含む気体の散布を可能にする構成は開示されていない。
【０００９】
また、特許文献２のオゾン水噴霧ノズル装置は、オゾン含有ガスと水を混合して主噴射口からオゾン水を噴霧するノズル装置において、オゾン水を噴霧する主噴射口の周囲に水を噴射する複数の補助噴射口を配設させたものである。この特許文献２の装置は、消毒や殺菌に十分なオゾン濃度のオゾン水の霧を噴霧し、かつ噴霧に伴って周囲に飛散するオゾンガスの広がりを狭い範囲に抑えて効率的、かつ安全に消毒あるいは殺菌を行なおうとするものである。すなわち、この特許文献２の装置においてもオゾンガスあるいはオゾンを含む霧を噴出させるノズル部分の改良を開示したものであり、オゾン発生器、水供給装置、ならびにそれらに付帯する電源、冷却装置、貯留槽、流体の駆動装置を含む地上の固定設備に取り付けたノズルで噴霧消毒を行なうことが前提となっている。そして、この特許文献２の装置では、複数人の作業者による共同作業で進められるのが通常であり、さらに、労力が大きいものであり、作業者の移動範囲の自由度、消毒作業時のノズルの自由な角度操作、作業の段取りの迅速性に欠ける欠点がある。また、固定設備は個々の機器の機能向上のため、大型化，高コスト化する傾向が強い問題があった。このような状況のもとで、耕作地の地勢、消毒の費用の低減、作業者の労働低減などを考慮した、一人で作業可能な人体装着形のオゾン殺菌装置の開発が国内外で待望されている。
【００１０】
本考案は上記従来の課題に鑑みてなされたものであり、その目的は、軽量、小型で操作性に優れ、しかも、低価格であり、かつ、作業者一人で殺菌・殺虫作業が可能な背負い形オゾン消毒装置を提供することにある。
【課題を解決するための手段】
【００１１】
上記課題を解決するために、本考案は、酸素源１０から供給される酸素を取り入れてオゾンを生成する放電形オゾン発生器３と、直流電源としてのリチウムイオンバッテリー１８とリチウムイオンバッテリーからの直流電力をインバータ２２を含む変換装置２０を介して高周波電力に変換しオゾン発生器へ交流電力を供給する電源部４と、オゾン発生器３からのオゾンと混合する液体を収容した携帯形液体タンク５と、オゾン及び液体タンクからの液体を取手部付きノズル体７に圧送駆動する複数の圧送駆動装置６Ａ、６Ｂと、圧送駆動装置から圧送されるオゾン及び／又はオゾンを含む液体を外部に放出する取手部付きノズル体７と、少なくともオゾン発生器３と、電源部４と、液体タンク５と、圧送駆動装置６Ａ、６Ｂとの４つの要素を搭載する１つの背負い架台２と、背負い架台上で４つの要素の上下左右重量バランスを保持して一塊の集合体として配置されるバランス搭載構造８と、を含む背負い形オゾン消毒装置１から構成される。
【００１２】
その際、液体タンク５は背負い架台２の下部において左右に他の要素及び機器を配置させるように背負い架台２の下部中央部（３６Ｌ）に配置されているとよい。
【００１３】
また、液体タンク５は、背負い架台２に設置されて液体圧送駆動装置６Ａ（２６）に常時液体を接続可能とする一次タンク５１と、一次タンクに対して着脱自在に接続され、装着時に一次タンクの収容室と当該タンク５１の収容室をワンタッチで連通させる二次タンク５２と、を含むとよい。
【００１４】
さらに、各要素の機能及び装置全体の機能を実行する電気基盤類４２が設けられ、該電気基盤類が背負い架台２上で最上位に設置されているとよい。
【考案の効果】
【００１５】
本考案の背負い形オゾン消毒装置によれば、酸素源から供給される酸素を取り入れてオゾンを生成する放電形オゾン発生器と、直流電源としてのリチウムイオンバッテリーとリチウムイオンバッテリーからの直流電力をインバータを含む変換装置を介して高周波電力に変換しオゾン発生器へ交流電力を供給する電源部と、オゾン発生器からのオゾンと混合する液体を収容した携帯形液体タンクと、オゾン及び液体タンクからの液体をノズル体に圧送駆動する複数の圧送駆動装置と、圧送駆動装置から圧送されるオゾンを含む液体を外部に放出する取手部付きノズル体と、少なくともオゾン発生器と、電源部と、液体タンクと、圧送駆動装置との４つの要素を搭載する１つの背負い架台と、背負い架台上で４つの要素の上下左右重量バランスを保持して一塊の集合体として配置されるバランス搭載構造と、を含む構成であるから、従来、オゾナイザー、電源、液体タンク、加圧ポンプ、冷却装置等を地上設備とし、高価で重厚なシステムにより、オゾンあるいは液体の供給ホースを延長させて被消毒物に対して噴射位置、噴射角度等を拘束されながら消毒作業をしていたものが、軽量、小型で操作性に優れ、しかも、低価格であり、かつ、作業者一人で殺菌・殺虫作業を軽快に行うことができる。
【００１６】
また、液体タンクは背負い架台の下部において左右に他の要素及び機器を配置させるように背負い架台の下部中央部に配置されている構成であるから、作業者の背中での架台全体の重心が安定し、オゾン生成機器その他の機器全体を背中に背負った状態で安定して移動でき、良好な消毒作業効率を保持しうる。
【００１７】
また、液体タンクは、背負い架台に設置されて液体圧送駆動装置に常時液体を接続可能とする一次タンクと、一次タンクに対して着脱自在に接続され、装着時に一次タンクの収容室と当該タンクの収容室をワンタッチで連通させる二次タンクと、を含む構成であるから、二次タンクを一次タンクに装着させるだけで二次タンクの液体を一次タンクに供給するから液体の搭載、補充供給時に他の機器類を液体で濡れさせてしまうことがなくなり、
また、搭載、補充作業を労力を要せずに簡易、迅速に行うことができる。
【００１８】
また、各要素の機能及び装置全体の機能を実行する電気基盤類が設けられ、該電気基盤類が背負い架台上で最上位に設置された構成とすることにより、液体タンクに液体の補給を行う際に水濡れによる腐食、短絡等による回路基盤や機器の故障、破損を防止することができる。
【図面の簡単な説明】
【００１９】
【図１】本考案の第１実施形態に係る背負い形オゾン消毒装置の機器接続構成図である。
【図２】本考案の第１実施形態に係る背負い架台に図１の装置の機器を搭載した状態の概略正面説明図である。
【図３】図２の機器搭載架台の左側面図である。
【図４】図２の機器搭載架台の右側面図である。
【図５】図２のＡ−Ａ線矢視図である。
【図６】図２の背負い架台に搭載する液体タンクの概略拡大斜視説明図である。
【図７】図６の液体タンクの着脱開閉機構を説明する要部拡大断面説明兼作用説明図である。
【図８】図６の液体タンクの着脱開閉機構を説明する要部拡大断面説明兼作用説明図である。
【図９】図２の機器搭載背負い架台を背負った消毒作業状態を示す作用説明図である。
【図１０】本考案の第２実施形態に係る背負い形オゾン消毒装置の他の機器接続構成図である。
【図１１】本考案の第２実施形態に係る背負い形オゾン消毒装置の他の機器接続構成図である。
【考案を実施するための形態】
【００２０】
以下、図面を参照して本考案を実施するための形態を説明する。図１ないし図８は、本考案の第１実施形態に係る背負い形オゾン消毒装置を示しており、図１は、機器接続構成図、図２は、背負い形オゾン消毒装置の概略正面説明図、図３は、図２の左側面図、図４は図２の右側面図である。
【００２１】
本考案の背負い形オゾン消毒装置は、一つの背負い架台２にオゾン生成に必要な主要構成要素を一塊の集合体として搭載し一人の作業者が背負って携行した状態で対象物に対する消毒作業を行なうものである。
【００２２】
図１は、第１実施形態の背負い形オゾン消毒装置１のオゾン生成に必要な構成要素の接続構成を示しており、背負い形オゾン消毒装置１は、放電形オゾン発生器３と、電源部４と、液体タンク５と、圧送駆動装置６Ａ、６Ｂと、を含む。さらに、図２において、この背負い形オゾン消毒装置１は取手部付きノズル体７と、１つの背負い架台２と、バランス搭載構造８と、を含む。
【００２３】
図１において、放電形オゾン発生器３は、酸素源１０から供給される酸素を取り入れてオゾンを生成するオゾナイザとしてのオゾン発生手段であり、本実施形態において誘電体としての放電管内外に電極を配置し、酸素又は空気を放電管内に供給しながら交流高電圧を加えることによりオゾンを生成する無声放電方式による放電形オゾン発生手段である。特に本実施形態では、金属細線を放電管内に封入して放電管表面に多数の細線状のコロナ放電を生じる表面誘電体放電（沿面放電）方式によるオゾン発生器が用いられている。放電形オゾン発生器は、表面誘電体放電方式に限られず、その他の無声放電方式の生成装置を用いてもよい。
【００２４】
オゾン発生器３で生成された高濃度オゾンは、供給管を介して貯留器１２に供給され、さらに貯留器１２からコンプレッサ１４とノズル体７の噴出口７ａに他の供給管を介して供給される。
【００２５】
実施形態において、オゾン発生器３の放電管内に連通接続する酸素源１０としての酸素発生装置１６が接続されている。本実施形態において、酸素発生装置１６は酸素濃縮器ＰＳＡ(Pressure Swing Adsorption)で構成されており、例えばゼオライトや活性炭等の細孔吸着物質を充填した２個のシリンダ内を交互に加圧、減圧させることによりゼオライトや活性炭により高圧下で空気中の窒素及び水分等を選択的に吸着し、減圧下で窒素及び水分を放出して酸素濃度９０％以上の高濃度の酸素を生成する。酸素発生装置１６で生成された高濃度酸素は例えばガス圧力２気圧程度、０．２〜１リットル／分の低流量で配管を介してオゾン発生器３に供給される。酸素源１０は、酸素発生装置に限らず、予め酸素を収容した酸素ボンベをオゾン発生器３に接続することもできる。
【００２６】
電源部４は、軽量小型の直流電源から高周波交流電力を生成してオゾン発生器３に供給しオゾン発生器の電極間に高電圧を印加して放電管内に供給される酸素（Ｏ２）からオゾン（Ｏ３）を生成させる。本実施形態において、電源部４は、直流電源としてのリチウムイオンバッテリー１８と、リチウムイオンバッテリーからの直流電力を交流変換しさらに高周波電力としてオゾン発生器３に供給する変換装置２０と、を含む。変換装置２０は、ＩＧＢＴ(Insulated Gate Bipolar Transistor)などの半導体素子の高速スイッチング動作によりＶＶＶＦ(Variable Voltage, Variable Frequency)制御などにより電圧、周波数変換により直流電力を交流の高周波、高電圧の電力に変換するインバータ２２を含む。リチウムイオンバッテリー１８は、体積エネルギー密度(Wh/L)、重量エネルギー密度(Wh/kg)共に、二次電池中で最も高く、単位体積並びに単位重量あたりの電池容量が大である。例えば公称電圧12v,サイズ182mm×127mm×202mm,重量9.5kgの鉛蓄電池が(82Wh/L)で40(Wh/kg)に対し、3.7vリチウムイオンバッテリーは、18.3mm×65mmで重量44gであり、鉛蓄電池１個相当のリチウムイオンバッテリー４個でサイズ73.2mm×260mm、重量176gで極めて軽量である。変換装置２０は、直流を交流変換する逆変換回路としてのインバータ２２並びに交流を直流変換するコンバータとしての変換回路を含む。電源部はオゾン発生器３のほか、酸素発生装置１６、２つの圧送駆動装置６Ａ，６Ｂにも電気接続され、それぞれに電力供給している。
【００２７】
液体タンク５は、オゾン発生器で生成される高濃度オゾンと混合させる液体を収容する収容手段である。本実施形態において、オゾン発生器３で生成され貯留器１２、コンプレッサ１４を経由して供給される高濃度オゾンと、水等の液体と、を混合させる混合部としての混合器２４が設けられ、この混合器２４内の混合室にコンプレッサ１４からの高濃度オゾンと液体タンク５からポンプ２６を介して圧送される水とが供給されて混合される。ポンプ２６は第１の圧送駆動装置６Ａであって、液体タンクからの水を混合器２４に圧送駆動し、コンプレッサ１４は第２の圧送駆動装置６Ｂであって、貯留器１２からの高濃度オゾンを混合器２４に圧送駆動する。実施形態において、ポンプ２６はリチウムイオンバッテリー１８からの直流電力により駆動され、コンプレッサ１４は、変換装置２０により変換された交流電力により駆動される。
【００２８】
混合器２４内では、混合促進用の気体拡散器２８が配置されており、液体タンク５とオゾン発生器３から供給されたオゾンガスを攪拌混合させる。なお、混合器２４を設けずに、水及びオゾンガスを直接に二流体ノズルとしてのノズル体に導入させ、ノズル体側でオゾンガス及び液体の噴出口を互いに近接位置に設定して噴出外部でミスト化してオゾンを含むミストとして被消毒体に噴射させるようにしても良い。
【００２９】
実施形態において、混合器２４に配管接続されて取手部付きノズル体７が設けられており、ノズル体７の噴出口から濃縮オゾンガスを水に溶融させたオゾンを含む液体を霧状にして噴出させる。
【００３０】
図２ないし図５において、背負い架台２は、オゾン消毒装置１の主要な構成要素をすべて一塊の集合体として人の背中に背負う状態で装着する際の架台手段であり、該背負い架台２に各構成要素を直接又は間接に固定あるいは締着させて固定化させる。本実施形態において、特に、この背負い架台２は、少なくともオゾン発生器３と、電源部４と、液体タンク５と、圧送駆動装置６Ａ、６Ｂの４つの要素を搭載する。背負い架台２に対する装置の各要素の取り付けは、詳細図示省略のビスやバンド等索条類による締着により固定される。
【００３１】
背負い架台２は、例えばＬ形あるいは立方体形に一体組み付けた図示しない外殻フレームに人の背中に対面する側に設けた取付プレート部３０と、取付プレート部３０に側面視Ｌ字をなすように取り付けられた底プレート部３２と、を含み、外フレーム全体を被覆するように図示しない被覆カバーで全体が被覆されて搭載した機器類は外部から見えないようにされている。また、図中３３は、人が背中に背負うための紐あるいはベルト等の背負い索条である。
【００３２】
図２に示すように、背負い架台２は、中間において上下に区画させる横仕切枠３４と、横仕切枠の下部側において、下部側スペースを縦に３つ３６Ｋ、３６Ｌ、３６Ｍに区画させるように２個の縦仕切枠３９、４０が設けられている。液体タンク５は背負い架台２の下部側スペース中央部の３６Ｌに配置されており、架台の下部側中央部に最重量体としての液体（水）を収容するタンク５が配置され、この部分に架台全体の重心が位置することとなる。これによって、人が背面側に背負った状態で架台全体の上下、左右の重量バランスが保持されオゾン消毒装置を背負い状態で安定して駆動操作し、簡易に移動し野菜、果物等の種類、生育特性、駆除すべき虫類の棲息場所等に応じてきめ細かな消毒作業を行える。液体タンク５は、消毒作業が進むにつれて内部の液量が減少するが、このような不安定な液体タンクを架台の下部中央側スペースに配置させることで例えば該液体タンクの両側に均等な重量の装置構成要素を配置させることにより、作業進行で液量が変動しても安定した消毒作業を維持し得る。背負い架台のバランス搭載構造８は、背負い架台下部中央への液体タンク５の配置と、その左右に略左右均等の重量バランスで配置した他の装置構成機器類の配置と、を含む。
【００３３】
本実施形態において、架台２の下側スペースの中央部に配置した液体タンク５の奥側に、取り付けプレート３０に固定されて、上側に液体タンク内の水の圧送駆動用ポンプ２６が、下側に貯留器１２からの高濃度オゾン圧送駆動用コンプレッサ１４が設置されている（図５参照）。液体タンクの奥側にある程度の重量物を設置することにより、背負い架台２の下側中央部での荷重が常時安定したものとなり、重量バランス保持に資する。また、液体タンク５は、架台２に常設的に設置する一次タンクとこれに脱着装着する二次タンクとからなる構成として二次タンクの脱着操作が必要な場合にも操作を阻害しないようにし得る。
【００３４】
図２，３において、架台２の取り付けプレート３０に固定されて架台２の下部側スペース左側部３６Ｋの奥側に上から電源部のインバータ２２、その下側にリチウムイオンバッテリー１８ａが取り付けられている。一方、図４において、架台２の下部側スペース右側部３６Ｍの奥側に上からオゾン発生器３、その下側にリチウムイオンバッテリー１８ｂが取り付けられている。オゾン発生器３は、高電圧放電時に熱を発生するので、冷却用のファン３８が一体に取り付けられている。架台２の下部側スペースの左右側部はそれぞれ同等の重量配分となるように設置される。
【００３５】
図において、横仕切り枠３４の上側のスペースにはオゾン発生器３、酸素発生装置１６、圧送駆動装置６Ａ，６Ｂ駆動用のコントローラ、その他電気部品、電気機器を含む電気基盤類４２が設置されている。これらの電気基盤類４２は取手部付きノズル体７の操作スイッチ４４に電気的に接続されており、ノズルの近接位置のスイッチを操作しながら消毒作業を行える。図に示すように、該電気基盤類４２は、背負い架台２上で最上位に設置されており、これによって、液体タンク５に水の補給を行う際に水濡れによる腐食、短絡等による回路基盤や機器の故障、破損を防止することができる。
【００３６】
図２において、オゾン発生器３からの高濃度オゾンガスの供給管１００及び水の圧送駆動用ポンプ２６からの水供給管１０２が架台２から引き出され、取手部付きノズル体７に接続されている。本実施形態では、取手部７１付きノズル体７に混合器２４が設置されており、混合器で生成されたオゾン溶融水と高濃度オゾンガスがノズル先端の噴出口から霧状に噴出されてオゾンミストを消毒対象物に噴射させる。なお、混合器２４は、背負い架台２に設置して架台側で生成したオゾン溶融水を配管で取手部付きノズル体７に供給し噴出口から噴出させてもよい。
【００３７】
本実施形態において、液体タンク５は、背負い架台２に設置されて液体圧送駆動装置２６に常時液体を接続可能とする一次タンク５１と、一次タンクに対して着脱自在に接続される二次タンク５２と、を含む。図６において一次タンク５１は、２つの縦仕切枠３９，４０の間に挟まれる位置に配置され、架台２に対して着脱は可能であるが横方向の移動はできないようになっている。すなわち、一次タンク５１は架台２に対して位置決め状態で取り付けられており、この状態でタンク内は常時ポンプ２６に連通して水を供給可能とされている。そして、一次タンク５１は二次タンク５２よりも大きなサイズで形成され、一部に二次タンク５２を着脱収容可能に切欠き凹部５４を設けている。二次タンク５２は水の補給口５６と、取っ手５８を備えている。二次タンクは切り欠き凹部５４に対する挿入、取り外し操作で一次タンクに対して着脱自在となっている。すなわち、一次タンク５１への二次タンク５２の装着時に二次タンク５２と一次タンク５１内部が自動的に連通し、その離脱時にそれぞれのタンクの内外連通を遮断する着脱開閉機構６０が設けられている。すなわち、図７において、二次タンク５２の底部には連通路６１を覆うように配置されて内外を連通する開口６３を有する弁箱６５が設けられ、弁箱６５内にバネ６２により常時連通路６１を閉鎖付勢される開閉弁６６が設けられている。そして、対応する位置の一次タンク５１の底部にはバネ６８により常時連通路６７を閉鎖付勢された開閉弁７２が設けられ、一次タンク５１の切欠き凹部５４に二次タンク５２を下降装着させると、一次タンク５１の弁本体に二次タンク５２の開閉弁６６が上方に押される。このとき、一次タンク５１側の開閉弁７２は押し下げられて連通路６７を開き（図８参照）、ここにおいて、二次タンク５２の流路から、二次タンク５２の開口６３、連通路６１、一次タンク５１の連通路６７を通って二次タンク５２内の水が一次タンク５１内に流入する。すなわち、二次タンク５２の、装着時に一次タンク５１の収容室５１ａと二次タンク５２の収容室５２ａとをワンタッチ操作で連通させることができる。なお、図１において、電源部４以外の構成要素を機構部７５として鎖線示している。
【００３８】
次に、第１実施形態の背負い形オゾン消毒装置の作用について説明すると、図１の電源部４のリチウムリチウムイオン電池１８の直流電力はインバータ２２を含む変換装置２０により変換されて交流電力が酸素発生装置１６、オゾン発生器３、オゾン圧送用コンプレッサ１４にそれぞれ供給される。このとき、オゾン発生器３にはさらに高周波高圧電力が供給される。オゾン発生器３に接続された酸素発生装置１６からの酸素が供給されるオゾン発生器３において、無声放電により高濃度オゾンガスが生成され、このオゾンガスは貯留器１２からコンプレッサ１４から混合器２４並びにノズル体７に分岐供給される。混合器２４で生成されるオゾン溶融水と貯留器１２から直接供給される高濃度オゾンはノズル体７で例えば複数の噴出し口並びに、吹出し方向の構成により噴出口からオゾンを含むミストとして被消毒物に向けて噴出される。このとき、図９に示すように、作業者Ｍはノズル体の取手部７１を把持し、構成機器を一塊の集合体として配置させた背負い架台２を背中に背負った状態で移動しながら噴出操作できる。したがって、例えば野菜の葉と葉の間や向きなど、固定式の消毒装置では困難な個別、具体的な消毒作業をきめ細かな操作で、かつ一人の作業者の作業により実現することができる。オゾンは水と反応すると、多くのオゾン派生生成物（ＯＨラジカル、酸素原子ラジカル、ＨＯ２ラジカル）を新たに生成し、オゾンの殺菌力を高める。
【００３９】
本考案のオゾンミスト消毒装置は、酸素源があれば消毒コストが農薬に比して格段に低く、また、小型軽量で高濃度オゾンが得られる空冷式の誘電体表面放電電極を用いるので、低ガス流量で高濃度のオゾンを安定して生成することができる。
【００４０】
次に、図１０において、本考案の第２実施形態の背負い形オゾン消毒装置８０について説明するが、第１実施形態の構成と同一部材には同一符号を付しその詳細説明は省略する。第２実施形態の背負い形オゾン消毒装置８０と第１実施形態の装置との異なる点は、第１実施形態で設けた混合器２４と貯留器１２を第２実施形態では設けずにオゾン発生器３にコンプレッサ１４を接続し、コンプレッサからノズル体７に直接高濃度オゾンガスを供給してノズル体の噴出口からオゾンガスを噴出させる一方、液体タンク５からの水を圧送駆動させるポンプ２６を直接にノズル体７に接続させ、ノズル体７からオゾンガスと水を例えば噴出後ミスト化するように噴出させるように構成した点が異なる。この構成では、背負い架台２に搭載する機器を減少して背負い荷重、積載スペースを減少し、小型軽量化に資する。
【００４１】
さらに、図１１の本考案の第３実施形態の背負い形オゾン消毒装置９０では、電源部４のリチウムイオンバッテリー１８とインバータ２２の直交変換直流回路に並列に太陽光パネル(Solar Photovoltaics:PV)発電装置９２とインバータ９４の直交変換直流回路を接続してそれぞれ逆流防止ダイオード９６，９８で保護したものであり、他の機構部は実施例１、実施例２のいずれを用いたものでも良い。この実施形態では、太陽光発電パネルによる直流電力をさらに付加的に利用することができる。
【００４２】
本考案の背負い形オゾン消毒装置は、具体的に作業者が背中に背負う態様のものに限らず、人体の前部あるいは左右に任意の方法で携帯させる態様で用いることができる。
【００４３】
以上説明した本考案の背負い形オゾン消毒装置は上記した実施形態の構成のみに限定されるものではなく、本考案の実用新案登録請求の範囲に記載された考案の本質を逸脱しない範囲において、任意の改変を加えても本考案の権利の範囲に含まれる。例えば、上記の実施形態の背負い架台に設置する各機器の具体的な仕様は本考案の装置の軽量、小型化、低コスト化、軽フットワーク作業性等の目的を阻害しない範囲において、かつ、なされた任意の改変部位を有するものであって、本考案の実用新案登録請求の範囲に記載された考案の本質を逸脱しない範囲においてなされた任意の改変部位を有するものでも本考案の権利の範囲に含まれる。
【産業上の利用可能性】
【００４４】
本考案のフランジの背負い形オゾン消毒装置は、作業者の１人作業による農業、水処理、消臭、殺菌、消毒等の用途において具体的に利用可能である。
【符号の説明】
【００４５】
１、８０、９０  背負い形オゾン消毒装置
２  背負い架台
３  放電形オゾン発生器
４  電源部
５  液体タンク
６Ａ、６Ｂ  圧送駆動装置
７  取手部付きノズル体
７ａ  ノズル体の噴出口
７１  取手部
８  バランス搭載構造
１０  酸素源
１２  貯留器
１４  コンプレッサ（６Ｂ）
１６  酸素発生装置
１８  リチウムイオンバッテリー
２０  変換装置
２２  インバータ
２６  ポンプ（６Ａ）
３０  取付プレート部
３２  底プレート部
３４  横仕切枠
３６Ｋ  下部スペース左
３６Ｌ  下部スペース中央
３６Ｍ  下部スペース右
３９、４０  縦仕切枠
４２  電気基盤類
５１  一次タンク
５２  二次タンク
６０  着脱開閉機構
１００  オゾンガス供給管
１０２  水供給管
【図１】
0003183645.tif 000003
【図２】
0003183645.tif 000004
【図３】
0003183645.tif 000005
【図４】
0003183645.tif 000006
【図５】
0003183645.tif 000007
【図６】
0003183645.tif 000008
【図７】
0003183645.tif 000009
【図８】
0003183645.tif 000010
【図９】
0003183645.tif 000011
【図１０】
0003183645.tif 000012
【図１１】
0003183645.tif 000013